(57)【特許請求の範囲】
【請求項１】
緩和発振機構を利用した利得スイッチング動作によって、第１パルスと該第１パルスの後続成分とから成る光パルス信号を発生する分布帰還型半導体レーザからなる半導体レーザ部と、
該半導体レーザ部からの出力について、チャーピングにより広がった波長帯域のうち少なくとも該後続成分に起因して生じる波長帯域の信号を除去して該第１パルスに起因する成分を抽出し超短パルスを得るためのフィルタとをそなえ、
該フィルタが、エッジフィルタから成り短波長成分を透過させるショートパスフィルタとして構成されたことを特徴とする、半導体レーザ装置。
【請求項２】
該ショートパスフィルタが短波長成分を透過させることにより、上記の後続成分と第１パルスの一部とを含む部分に起因する上記のチャーピングにより広がった波長帯域のうち長波長域の成分と短波長域に成分における長波長側のすそ部分とを含む部分を除去する
ことを特徴とする、請求項１記載の半導体レーザ装置。
【請求項３】
該半導体レーザ部が半導体レーザと該半導体レーザを駆動するためにサブナノ秒からナノ秒オーダーの励起パルスを発生する励起パルス発生器とをそなえ、該半導体レーザ部が、緩和発振機構を利用した利得スイッチング動作によって、該第1パルスと該第１パルスの後続成分とから成る光パルス信号を発生するように構成され、
該ショートパスフィルタにより、上記の少なくとも後続成分に起因して生じる波長帯域の信号を除去して該第１パルスに起因する成分を抽出しピコ秒オーダーの超短パルスを得る
ことを特徴とする、請求項１または請求項２に記載の半導体レーザ装置。
【請求項４】
該ショートパスフィルタが該エッジフィルタとしての誘電体多層膜フィルタで構成されたことを特徴とする、請求項１ないし請求項３のいずれかに記載の半導体レーザ装置。
【請求項５】
該誘電体多層膜フィルタがその遮断特性の急峻性に使用波長依存性を有していることを特徴とする、請求項４記載の半導体レーザ装置。
【請求項６】
該フィルタの入力側および出力側のいずれか一方または両方に、光増幅器が設けられたことを特徴とする、請求項１ないし請求項５のいずれかに記載の半導体レーザ装置。
【請求項７】
請求項１ないし請求項６のいずれかに記載の半導体レーザ装置を光源として有し、該光源からの光信号による非線形光学効果を利用する機器部とをそなえて構成されたことを特徴とする、非線形光学効果利用機器。
【請求項８】
該非線形光学効果利用機器が、請求項１ないし請求項６のいずれかに記載の半導体レーザ装置を光源とするレーザ顕微鏡である請求項７記載の非線形光学効果利用機器。
【請求項９】
該非線形光学効果利用機器が、請求項１ないし請求項６のいずれかに記載の半導体レーザ装置を光源とするレーザ加工機である請求項７記載の非線形光学効果利用機器。
【請求項１０】
該非線形光学効果利用機器が、請求項１ないし請求項６のいずれかに記載の半導体レーザ装置を光源とする非線形波長変換装置である請求項７記載の非線形光学効果利用機器。
【発明の詳細な説明】
【技術分野】
【０００１】
本発明は、半導体レーザ装置、およびこの半導体レーザ装置を光源としてそなえる非線形光学効果利用機器に関する。
【背景技術】
【０００２】
半導体レーザの超高強度パルス化は、単にレーザの極限性能追求のみならず、新しい物理現象の探索の意味でも重要な課題となってきた（下記非特許文献１，２参照）。
半導体レーザにおいて短パルスを発生させる一方法として、図１に示すような、緩和発振機構を利用した利得スイッチング動作が知られている（下記非特許文献３参照）。
かかる技術の適用例として、チャーピングにより広がったバンド幅で光パルスを発生するレーザダイオード（Laser Diode：以下、ＬＤという）によって発生した光パルスの光スペクトルから、チャーピングによる広がり幅より狭い帯域の信号をバンドパスフィルタで抽出して光パルスの時間幅を短くする技術がある（下記特許文献１参照）。
【０００３】
かかる技術では、チャーピングにより広がった光スペクトルから、より狭い帯域で光パルスの成分を単に抽出する目的で、バンドパスフィルタが用いられている。
また、単一縦モード半導体レーザからの光パルスを、パルス圧縮器にてダウンチャープを補償してパルスを圧縮したのち、増幅器にて増幅し、波形整形器にて圧縮されたパルスに含まれる自然放出光雑音及びペデスタル成分除去を行ない、さらに別の増幅器にて増幅することで短パルス光を得る技術がある（下記特許文献２参照）。
【先行技術文献】
【特許文献】
【０００４】
【特許文献１】特許第３６６９６３４号公報
【特許文献２】特開第２００８−１５９７２９号公報
【非特許文献】
【０００５】
【非特許文献１】S. Kono et al., Appl. Phys. Lett. 93, 131113 (2008).
【非特許文献２】R. Koda et al., Appl. Phys. Lett. 97, 021101 (2010).
【非特許文献３】A. Yariv, "Quantum Electronics" 'Wiley, New York, 1989.
【発明の概要】
【発明が解決しようとする課題】
【０００６】
特許文献１に記載の技術では、ＬＤから発生する光パルスの時間波形が図２に示すように第１パルス４０のみであり、この第１パルス４０に起因して、上記したようなチャーピングにより広がったバンド幅の発振スペクトル４１が生じる（図３参照）。なお、図２は、従来技術における光パルスの時間波形の例を示す図であり、図３は、このパルスの波長スペクトルの例を示す図である。
また、この技術では、１００ピコ秒程度以下の時間幅の電気パルスを発生させるために、パルス発生器にシビアな性能が要求される。さらに、このような性能を発揮させるためパルス発生器に対して細かな調整を行なう必要がある。
また、特許文献２に記載の技術においては、単一縦モード半導体レーザからの光パルスのチャープを補償して当該パルスを圧縮するためにパルス圧縮器が必要である。このため、部品点数が増大し、結果として装置全体の価格が上がってしまう。
【０００７】
本発明は、このような課題に鑑み創案されたもので、本発明の１つの目的は、簡潔かつメンテナンスが容易な構成で所望する超短パルス光を容易かつ確実に発生させることができる半導体レーザ装置、およびこの半導体レーザ装置を光源としてそなえる非線形光学効果利用機器を提供することにある。
なお、前記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【０００８】
このため、本半導体レーザ装置は、緩和発振機構を利用した利得スイッチング動作によって、第1パルスと該第1パルスの後続成分とから成る光パルス信号を発生する分布帰還型半導体レーザからなる半導体レーザ部と、該半導体レーザ部からの出力について、チャーピングにより広がった波長帯域のうち少なくとも該後続成分に起因して生じる波長帯域の信号を除去して該第１パルスに起因する成分を抽出し超短パルスを得るためのフィルタとをそなえ、該フィルタが、エッジフィルタから成り短波長成分を透過させるショートパスフィルタとして構成されたことを特徴とする。
本半導体レーザ装置は、該ショートパスフィルタが短波長成分を透過させることにより、上記の後続成分と第1パルスの一部とを含む部分に起因する上記のチャーピングにより広がった波長帯域のうち長波長域の成分と短波長域に成分における長波長側のすそ部分とを含む部分を除去するようにしてもよい。
【０００９】
なお、上記半導体レーザ装置において、該半導体レーザ部が半導体レーザと該半導体レーザを駆動するためにサブナノ秒からナノ秒オーダーの励起パルスを発生する励起パルス発生器とをそなえ、該半導体レーザ部が、緩和発振機構を利用した利得スイッチング動作によって、該第１パルスと該第１パルスの後続成分とから成る光パルス信号を発生するように構成され、該ショートパスフィルタにより、上記の少なくとも後続成分に起因して生じる波長帯域の信号を除去して該第１パルスに起因する成分を抽出しピコ秒オーダーの超短パルスを得るように構成されてもよい。
上記半導体レーザ装置において、該ショートパスフィルタが該エッジフィルタとしての誘電体多層膜フィルタで構成されてもよい。
上記半導体レーザ装置において、該誘電体多層膜フィルタがその遮断特性の急峻性に使用波長依存性を有するようにしてもよい。
さらに、上記半導体レーザ装置において、該フィルタの入力側および出力側のいずれか一方または両方に、光増幅器が設けられてもよい。 
【００１０】
また、本非線形光学効果利用機器は、上記半導体レーザ装置を光源として有し、該光源からの光信号による非線形光学効果を利用する機器部とをそなえて構成されることを特徴とする。
また、本非線形光学効果利用機器は、上記半導体レーザ装置を該光源とするレーザ顕微鏡であってもよい。
【００１１】
あるいは、上記非線形光学効果利用機器は、上記半導体レーザ装置を該光源とするレーザ加工機であってもよい。
あるいは、上記非線形光学効果利用機器は、上記半導体レーザ装置を該光源とする非線形波長変換装置であってもよい。
【発明の効果】
【００１２】
本発明によれば、半導体レーザ部が分布帰還型半導体レーザから構成されるので、時間的に相互に分離した第１パルスとこの第１パルスの後続成分とを発生させ、チャーピングにより広がった波長帯域のうち少なくとも後続成分に起因して生じる波長帯域の信号を、エッジフィルタから成り短波長成分を透過させるショートパスフィルタとして構成されるフィルタで適切に除去することにより、簡潔な構成で第１パルスに起因する成分を抽出して所望する極短光パルス（この極短光パルスは超短パルスと同義。以下同じ。）を容易かつ確実に得ることができる。さらに、パルスを圧縮するためのパルス圧縮器等の追加部品が不要であるため、簡潔な構成とすることができ、部品点数を削減し、装置のコストダウンを図ることができる。
さらに、本発明によれば、半導体レーザと該半導体レーザを駆動するためにサブナノ秒からナノ秒オーダーの励起パルスを発生する励起パルス発生器とを備えたことにより、安価かつメンテナンスが容易な汎用の励起パルス発生器を用いてピコ秒オーダーの極短光パルスを容易かつ確実に得ることができる。
さらに、本半導体レーザ装置を光源として使用した各種非線形光学効果利用機器も提供されるので、各種非線形光学効果利用機器の製造コスト低減に大いに寄与する。
【図面の簡単な説明】
【００１３】
【図１】緩和発振機構を利用した利得スイッチング動作の例を示すグラフである。
【図２】１００ピコ秒幅程度のパルス励起時の半導体レーザからの光パルスの時間波形の例を示すである。
【図３】１００ピコ秒幅程度のパルス励起時の半導体レーザからの光パルスのチャーピングの例を示す図である。
【図４】サブナノ秒幅程度のパルス励起時の半導体レーザからの光パルスの時間波形の例を示す図である。
【図５】サブナノ秒幅程度のパルス励起時の半導体レーザからの光パルスの波長スペクトルを示す図である。
【図６】本発明の一実施形態としての半導体レーザ装置の構成を模式的に示す図である。
【図７】本発明の一実施形態に係る、励起パルス発生器から半導体レーザに印加する電圧パルス波形の例を示す図である。
【図８】本発明の一実施形態に係る、図７の電圧パルスが印加された半導体レーザから出力される光パルスの縦軸対数表示スペクトルの例を示す図である。
【図９】本発明の一実施形態に係る、図７の電圧パルスが印加された半導体レーザから出力される光パルスの時間波形の例を示す図である。
【図１０】本発明の一実施形態に係る、ショートパスフィルタ通過後の光パルスの縦軸対数表示スペクトルの例を示す図である。
【図１１】本発明の一実施形態に係る、ショートパスフィルタ通過後の光パルスの時間波形の例を示す図である。
【図１２】本発明の一実施形態に係る半導体レーザ装置において得られた光パルスの強度相関測定の結果の一例を示す図である。
【図１３】本発明の一実施形態に係る半導体レーザ装置を光源としてそなえる非線形効果利用機器の例を模式的に示すブロック図である。
【図１４】本発明の一実施形態に係る半導体レーザ装置を光源としてそなえる非線形波長変換器を示すブロック図である。
【発明を実施するための形態】
【００１４】
以下、図面を参照して本発明の実施の形態を説明する。
〔Ａ．原理ならびに構成〕
まず、本発明の原理ならびに本発明の一実施形態の構成について説明する。
パルス励起による緩和発振機構を利用した利得スイッチング動作を行なう半導体レーザにおいて、その仕様（スペック）によっては、例えば、図４に示すように、時間波形において、第１パルス３０とこの第１パルス３０の後続部分３１とが発生するものがある。
このタイプの半導体レーザにおいては、例えば、図５に示すように、チャーピングにより広がったバンド幅の発振スペクトルが生ずるが、この場合、利得スイッチング発振時に、時間に依存した発振スペクトルピークの周波数シフトが生じ、発生する光信号が、波長の短い成分（短波長帯域の成分；周波数の高い成分）２０と波長の長い成分（長波長帯域の成分；周波数の低い成分）２１とからなる。
【００１５】
本発明は、緩和発振機構を利用した利得スイッチング動作により、第１パルス３０とその後続部分３１とが発生する半導体レーザ（以下、この半導体レーザを「利得スイッチング半導体レーザ」ということがある。）において、チャーピングにより広がった波長帯域のうち少なくとも後続部分に起因する長波長域の信号２１（図５）を、短波長成分を透過させるショートパスフィルタとして構成されるフィルタにより、除去することによって、第１パルス３０に起因するパルス信号を得ることができるようにした半導体レーザ装置を提供するものである。ここで、「少なくとも後続部分」とは、後続成分３１と第１パルス３０の一部とを含む部分である。また、この当該半導体レーザ装置を光源として利用した非線形光学効果利用機器も提供する。
【００１６】
図６は本発明の一実施形態としての半導体レーザ装置６の構成を模式的に示す図である。
この半導体レーザ装置６は、半導体レーザ１と励起パルス発生器２とをそなえる半導体レーザ部３と、ショートパスフィルタ４とをそなえる。
この半導体レーザ装置６は、利得スイッチング動作により、半導体レーザ１の仕様と励起パルス発生器２の仕様とを適切に組み合わせることにより、半導体レーザ部３において、時間領域において相互に分離した、前述の第１パルス３０と第１パルス３０の後続部分３１とを発生させるものである（図４参照）。
励起パルス発生器２は、電気パルスまたは光パルスを発生させ、半導体レーザ１に電気パルスまたは光パルスを印加する電気パルス発生器または光パルス発生器が用いられる。励起パルス発生器２は、例えば、−５Ｖで、６００ピコ秒（ｐｓ）の電気パルスを発生させる発生器である。この励起パルス発生器２は、サブナノ秒からナノ秒オーダーの電気パルスを発生させるものであり、比較的安価でありメンテナンスも容易である。例えば、励起パルス発生器２は従来用いられていた１００ピコ秒オーダーの電気パルス発生器よりも１桁程度安価な電気パルス発生器である。また、励起パルス発生器２は上記で例示した電気パルス発生器と同程度の光パルスを発生させる光パルス発生器でもよい。
【００１７】
半導体レーザ１は、利得スイッチング発振を行なうレーザであり、例えば、１．５５μｍの分布帰還型（Distributed Feedback：ＤＦＢ）レーザダイオードである。図示はしていないが、波長制御の為に、温度制御装置により適切な温度（例えば２５℃）に温度調整を行なうこともある。
半導体レーザ１は、上記のように適切な仕様の励起パルス発生器２と組み合わせた場合、発振時に、発振スペクトルが時間依存性の周波数シフトを生じる。このとき、半導体レーザ部３からの発生パルスは、例えば図４に示すように、時間領域において、急峻かつ短い第１パルス３０と、この第１パルス３０に後続する、広くなだらかな後続成分３１とを含み、これらは、時間的に分離している。この発生パルスは、例えば図５に示すように、短い波長帯域の成分（短波長帯域成分；高周波成分）２０と、図４の少なくとも後続成分３１に起因して長波長寄りに広がった成分（長波長帯域成分；低周波成分）２１とを含む。
【００１８】
ショートパスフィルタ４は、例えば、チャーピングにより広がった波長帯域のうち少なくとも後続部分に起因して生じる波長帯域の信号を除去するためのショートパスフィルタである。ここで、「少なくとも後続部分」とは、後続成分３１と第１パルス３０の一部とを含む部分である。このショートパスフィルタ４は、例えば、短波長成分を透過させるショートパスフィルタとして構成される。ショートパスフィルタ４は、例えば、１０層程度の誘電体多層膜からなるが、更に多層、例えば１０層から１００層更に１００層よりも多層の誘電体多層膜で構成することができる。誘電体多層膜を多層にしたフィルタをエッジフィルタと呼ぶこともあるが、このエッジフィルタは急峻な遮断特性を有する。本例においては、波長λが１．５５μｍのとき透過率Ｔが０．９から０．１に落ちるときの幅が１ｎｍ程度の急峻な遮断特性を有するエッジフィルタを使用することが好ましい。なお、波長λが１．５５μｍよりも更に短いときは、透過率Ｔが０．９から０．１に落ちるときの幅が１ｎｍよりも小さい値の遮断特性を有するエッジフィルタが必要になる。例えば、波長λが０．８μｍの場合は透過率Ｔが０．９から０．１に落ちるときの幅が０.２ｎｍ〜０．３ｎｍ程度の急峻な遮断特性を有するエッジフィルタが必要となる。すなわち、エッジフィルタの遮断特性の急峻性は使用波長に依存しており、波長が短くなるほど透過率Ｔが０．９から０．１に落ちるときの幅を小さくする必要がある。半導体レーザ１からの発生パルスをショートパスフィルタ４に通すことで、チャーピングにより広がった波長帯域のうち少なくとも後続部分に起因して生ずる長波長帯域の成分２１（図５）を除去し、第１パルス３０に起因する成分２０を抽出し、超短パルス化を図っている。すなわち、発生パルスをショートパスフィルタ４に通すことで、半導体レーザ１から出力される信号の短波長帯域成分２０を切り出し、さらなる短パルス化（超短パルス化）が可能になったのである。
なお、ショートパスフィルタ４の前段及び／又は後段に、例えば、エルビウム添加ファイバ増幅器（erbium-doped fiber amplifier：ＥＤＦＡ）などの光増幅器（図示せず）を設けてもよい。なお、例えば、１００ＭＨｚのパルス繰り返し周波数でパルスを印加する場合等には上記のような光増幅器を設けなくてもよい。
【００１９】
〔Ｂ．動作〕
次に、この半導体レーザ装置６の動作について説明する。
図７は、本発明の一実施形態に係る、励起パルス発生器２から半導体レーザ１に印加する電圧パルス波形の例を示す図である。この波形は、例えば、測定時に２０ｄＢ減衰器（ＡＴＴ）を使用し、固定ＡＴＴ３ｄＢ後に測定したものである。
この電気パルスによる光励起により、半導体レーザ部３から出力される光パルスの縦軸対数表示スペクトルの例を図８に示す。図８に示すように、この光パルスは、短波長帯域成分２０と長波長帯域成分２１とを含む。
【００２０】
図９は、半導体レーザ部３から出力される光パルスの時間波形（オシロスコープ観測）の例を示す図である。図９に示すように、半導体レーザ部３から出力される光パルスは、第１パルス３０と、この第１パルス３０に後続する後続成分３１とを含み、これらは時間的に分離している。図８に示した短波長帯域成分２０は、図９の第１パルス３０に起因し、図８に示した長波長帯域成分２１は後続成分３１に起因してそれぞれ発生する。
このように、レーザパルスの光スペクトルが本例では１ｎｍ程度以上にも広がっている。この現象はチャーピングと呼ばれる。
【００２１】
本発明においては、チャーピングにより広がった波長帯域のうち少なくとも後続成分を除去して第１パルス３０のみを取り出して超短パルスを得るために、図６に示した上記のショートパスフィルタ４を使用する。
図１０は、本発明の一実施形態に係る、ショートパスフィルタ４通過後の光パルスの縦軸対数表示スペクトル（オシロスコープ観測）の例を示す図である。前述のようにショートパスフィルタ４は、長波長帯域成分２１を除去するショートパスフィルタである。詳細には、前述のようにショートパスフィルタ４は、例えば、短波長成分を透過させるショートパスフィルタとして構成される。
図１０においては、図８に示したショートパスフィルタ４通過前の光パルスのスペクトルと比べ、短波長帯域成分２０はほとんど変化していないのに対し、長波長帯域成分２１は大幅に低減している。
【００２２】
図１１は、ショートパスフィルタ４通過後の光パルスの時間波形（オシロスコープ観測）の例を示す図である。
図１１においては、図９に示したショートパスフィルタ４通過前の光パルスの時間波形と比較すると、第１パルス３０の後続成分３１が完全に除去されており、第１パルス３０のみが抽出されている。なお、図１１において、主パルス３０後のリンギングは電気的応答の問題であり、光信号には対応していない。
【００２３】
半導体レーザ装置６において得られた光パルスの正確な時間幅は、強度相関測定により求めることができる。
図１２に、本発明の一実施形態に係る半導体レーザ装置６において得られた光パルスの強度相関測定の結果の一例を示す。この例では、光パルスの時間幅が６ｐｓであると同定されている。
このように、本発明の一実施形態によれば、安価かつメンテナンスが容易な励起パルス発生器２を用いて、簡潔な構成で所望する超短パルス光を容易かつ確実に発生させることができる半導体レーザ装置６を提供することができる。さらに、パルスを圧縮するためのパルス圧縮器等の追加部品が不要であるため、簡潔な構成とすることができ、部品点数を削減し、装置のコストダウンを図ることができる。
【００２４】
〔Ｃ．非線形光学効果利用機器〕
上記の半導体レーザ装置６は、レーザ顕微鏡、レーザ加工機、非線形波長変換装置、高調波光発生装置、和周波光発生装置、差周波光発生装置などの各種非線形効果利用機器の光源として使用することができる。
図１３に、本発明の一実施形態に係る、上記の半導体レーザ装置６を光源としてそなえる非線形効果利用機器８の例を模式的に示す。
この非線形効果利用機器８は、図１３に示すように、例えば、光源６と、光源６からの光を入射する機器部７とをそなえる。
この非線形効果利用機器８は、上記したように、例えば、レーザ顕微鏡、レーザ加工機、非線形波長変換装置、高調波光発生装置、和周波光発生装置、差周波光発生装置などであるが、この場合、機器部７としては、例えば、レーザ顕微鏡機器部、レーザ加工機機器部、非線形波長変換器、高調波光発生器部、和周波光発生器部、差周波光発生器部が挙げられる。ここで、レーザ顕微鏡機器部とはレーザ顕微鏡から光源を取り除いた部分、レーザ加工機機器部とはレーザ加工機機器部から光源を取り除いた部分、非線形波長変換器とは非線形波長変換装置から光源を取り除いた部分を意味する。また、高調波光発生器部とは高調波光発生装置から光源を取り除いた部分、和周波光発生器部とは和周波光発生装置から光源を取り除いた部分、差周波光発生器部とは差周波光発生装置から光源を取り除いた部分を意味する。
【００２５】
図１４に、非線形効果利用機器８の一例として、非線形波長変換装置を示す。
図１４に示すように、非線形波長変換装置８の非線形波長変換器７は、例えば、非線形波長変換デバイス１０と、光フィルタ１１とをそなえる。
非線形波長変換デバイス１０は、光源６から入射される光の周波数を変換するデバイスである。非線形波長変換デバイス１０により波長変換した光を光フィルタ１１によって適宜濾波し、所望の非線形効果を付与する。
例えば、本発明の半導体レーザ装置６は、非線形光学効果により、スーパーコンチニュウム光パルス（超広帯域光パルス：optical supercontinuum pulse)の発生が可能となるようなピークパワーの光を発生させるための光源として利用できる。スーパーコンチニュウム光は、光通信、光電子計測、バイオフォトニクス等の様々な応用で用いられている。低平均光のスーパーコンチニュウム光は、生体組織への損傷が問題にならず、バイオメディカルの応用に極めて有用である。
【００２６】
このように、本発明に係る半導体レーザ装置６は、時間的に相互に分離した第１パルス３０と、この第１パルス３０の後続成分３１とを含む光信号を発生させ、チャーピングにより広がった波長帯域のうち少なくとも後続成分に起因する波長帯域の信号を、短波長成分を透過させるショートパスフィルタとして構成されるショートパスフィルタ４で除去することにより、所望する超短光パルスを容易かつ確実に得ることができる。
また、本発明に係る半導体レーザ装置６は、半導体レーザ１と励起パルス発生器２との仕様を適切に組み合わせることにより、サブナノ秒から数ナノ秒オーダーの電気パルスまたは光パルスを発生させる励起パルス発生器２を使用して、所望するピコ秒オーダーの超短パルス光を容易かつ確実に発生させることができる。この励起パルス発生器２としては、安価でメンテナンスが容易な汎用の電気パルス発生器又は光パルス発生器が使用可能である。したがって、比較的安価かつメンテナンスが容易な励起パルス発生器２を使用できるため、半導体レーザ装置６のコストを低減することができる。さらに、パルスを圧縮するためのパルス圧縮器等の追加部品が不要であるため、簡潔かつメンテナンスが容易な構成とすることができ、部品点数を削減し、半導体レーザ装置６のコストダウンを更に図ることができる。
さらに、仕様（パラメータ）を調整することにより、適用できる動作の条件範囲が広いという利点も有する。
【００２７】
〔Ｄ．その他〕
なお、上述した実施形態に関わらず、本実施形態の趣旨を逸脱しない範囲で種々変形して実施することができる。
例えば、上記実施形態においては、半導体レーザ１から出力される光パルスの長波長帯域成分を除去して短波長帯域成分を抽出しているが、それに限定されるものではなく、光信号の短波長帯域成分に注目してこの短波長帯域成分を抽出するようにしてもよい。
また、上記実施形態において、ショートパスフィルタ４が、少なくとも後続成分３１（後続成分３１と第１パルス３０の一部とを含む部分）に起因する少なくとも長波長域の成分２１（長波長域の成分２１と短波長帯域の成分２０における長波長側のすそ部分とを含む部分）を除去しているが、ショートパスフィルタ４が、後続成分３１に起因する長波長域の成分２１のみを除去してもよい。これにより、第１パルス３０の強度を極力維持しつつ超短パルス化を実現できる。
【符号の説明】
【００２８】
１    半導体レーザ
２    励起パルス発生器
３    半導体レーザ部
４    ショートパスフィルタ（フィルタ）
６    半導体レーザ装置（光源）
７    レーザ顕微鏡機器部、レーザ加工機機器部、非線形波長変換器（機器部）
８    非線形効果利用機器（レーザ顕微鏡、レーザ加工機、非線形波長変換装置）
２１  長波長帯域成分（後続成分に起因して生じる波長帯域の信号）
３０  第１パルス
３１  第１パルスの後続部分
【要約】
【課題】超短パルス光を発生させることができる半導体レーザ装置を提供する。
【解決手段】本開示の半導体レーザ装置６は、緩和発振機構を利用した利得スイッチング動作によって、第1パルスと第1パルスの後続成分とを発生する半導体レーザ部３と、半導体レーザ部３からの出力について、チャーピングにより広がった波長帯域のうち少なくとも後続成分に起因して生じる波長帯域の信号を除去するフィルタ４とをそなえ、フィルタ４が、この短波長成分を透過させるショートパスフィルタとして構成される。また、この半導体レーザ装置を利用した非線形光学効果利用機器も提供される。
【選択図】図６【図１】
0005194179.tif 000002
【図２】
0005194179.tif 000003
【図３】
0005194179.tif 000004
【図４】
0005194179.tif 000005
【図５】
0005194179.tif 000006
【図６】
0005194179.tif 000007
【図７】
0005194179.tif 000008
【図８】
0005194179.tif 000009
【図９】
0005194179.tif 000010
【図１０】
0005194179.tif 000011
【図１１】
0005194179.tif 000012
【図１２】
0005194179.tif 000013
【図１３】
0005194179.tif 000014
【図１４】
0005194179.tif 000015